(57)【要約】【課題】電源回路の温度上昇を効果的に抑制することによって、充電装置の小型化を図る。【解決手段】電池と電源回路の温度を検出し (S12,S18)、検出された温度から温度上昇値を算出する (S14,S20)。検出された温度と求められた温度上昇値とから、許容電流値のマップを検索して許容電流値Ｉａ、Ｉｂを求め (S16,S20)、両者比較して (S24)、小さい方を許容電流値として電池の充電をする (S26,S28)。電源回路の温度値と温度上昇値とに基づきマッピングしたマップから許容電流値を検索して充電電流を制御するため、電源回路の温度上昇を効果的に抑制することができ、充電装置の小型化を図り得るとともに電池の温度上昇を抑えながら比較的短時間で充電できる。【選択図】  図４
2004208349.tif 000002
【特許請求の範囲】
【請求項１】
電池に充電電流を供給する電源回路と、
電源回路の温度を検出する回路温度検出部と、
電源回路の温度上昇を抑えながら充電し得る許容電流値を該電源回路の温度値と温度上昇値とに基づきマッピングしたマップを記憶する記憶部と、
回路温度検出部で検出された温度から決まる電源回路の温度値及び温度上昇値からマップを検索することで得られる許容電流値を充電電流が上回らないように電源回路を制御する充電制御部と、を有する充電装置。
【請求項２】
電池に充電電流を供給する電源回路と、
電源回路の温度を検出する回路温度検出部と、
電池の温度を検出する電池温度検出部と、
電池温度検出部で検出された温度から決まる第１許容電流値と回路温度検出部で検出された温度から決まる第２許容電流値のうち小さい方の許容電流値を充電電流が上回らないように電源回路を制御する充電制御部と、を有する充電装置。
【請求項３】
充電制御部は、電池の温度上昇を抑えながら充電し得る許容電流値を該電池の温度値と温度上昇値とに基づきマッピングした第１のマップを記憶すると共に、電源回路の温度上昇を抑えながら充電し得る許容電流値を該電源回路の温度値と温度上昇値とに基づきマッピングした第２のマップを記憶する記憶手段と、
電池温度検出部で検出された温度から得られる電池の温度値及び温度上昇値から第１のマップを検索して第１許容電流値を求めると共に、回路温度検出部で検出された温度から得られる電源回路の温度値と温度上昇値とから第２のマップを検索して第２許容電流値を求める許容電流値検索手段と、を有することを特徴とする請求項２に記載の充電装置。
【請求項４】
第１のマップは温度値が高い時に許容電流値が小さく、温度上昇値が大きいときに許容電流値が小さく設定された充電末期を示す領域を有しており、
充電制御部は、さらに、電池温度検出部で検出された温度から得られる電池の温度値と温度上昇値とが第１のマップ中の充電末期を示す領域に属する頻度が高いか否かに基づき充電完了を判断する充電完了判断手段と、充電完了判断手段による充電完了の判断に基づき充電を停止する充電完了手段と、を有することを特徴とする請求項３に記載の充電装置。
【請求項５】
電源回路と電池とを接続し、電源回路から供給される充電電流によって電池を充電する充電方法であって、
電池の温度を検出する電池温度検出工程と、
電源回路の温度を検出する回路温度検出工程と、
電池温度検出工程で検出された温度から決まる第１許容電流値と回路温度検出工程で検出された温度から決まる第２許容電流値のうち小さい方の許容電流値を充電電流が上回らないように電源回路を制御する工程と、を有する充電方法。
【発明の詳細な説明】
【０００１】
【発明の属する技術分野】本発明は、電池（二次電池）を充電する充電装置及び充電方法に関する。
【０００２】
【従来の技術】電動工具等の電源には、繰り返し充電可能な二次電池が用いられる。この種の電動工具（充電工具）を用いて長時間連続して作業するためには電池交換が必要となる。このため、長時間連続して作業する際には複数の電池を用意し、一の電池を使用中に使用済みの他の電池を充電し、使用中の電池が要充電の状態となると充電が完了した他の電池に交換して作業を継続するという使い方がされる。したがって、用意する電池の数を少なくするためには電池を短時間で充電する必要がある。すなわち、電池に供給される充電電流を大きくする必要がある。ところが、充電電流が大きくなると充電装置の電源回路が発熱し、電源回路の温度上昇が問題となる。そこで、電源回路の温度上昇を抑制するための技術が開発されている（特許文献１）。
特許文献１に開示された充電装置では、電源回路の温度を測定する熱検出素子（サーミスタ等）と、電源回路と電池との間に設けられた開閉部と、その開閉部を開閉する充電開閉回路が設けられる。この充電装置では、電源回路の温度が上昇すると熱検出素子のインピーダンスが低下し、これによって充電開閉回路が作動して開閉部を開放する。このため、電源回路から電池への充電電流の供給が停止し、電源回路の温度上昇が抑制される。
【０００３】
【特許文献１】
特開平２０００−２３３８７号公報
【０００４】
【発明が解決しようとする課題】上述した特許文献１に記載の充電装置は、電源回路の温度上昇を抑制することはできるが、電源回路の温度が上昇すると電池への充電電流の供給をＯＦＦしてしまうため効率的に充電が行われず充電完了までに長時間を要していた。
そこで、本発明は、電源回路の温度上昇を抑制しつつ電池を効率的に充電することが可能となる技術を提供することを目的とする。
【０００５】
【課題を解決するための手段と作用と効果】上記課題を解決するために、本願発明に係る第１の充電装置は、電池に充電電流を供給する電源回路と、電源回路の温度を検出する回路温度検出部と、電源回路の温度上昇を抑えながら充電し得る許容電流値を該電源回路の温度値と温度上昇値とに基づきマッピングしたマップを記憶する記憶部と、回路温度検出部で検出された温度から決まる電源回路の温度値及び温度上昇値からマップを検索することで得られる許容電流値を充電電流が上回らないように電源回路を制御する充電制御部とを有する。
この充電装置では、電源回路の温度上昇を抑えながら充電し得る許容電流値を電源回路の温度値と温度上昇値（すなわち温度変化の勾配）とに基づきマッピングしたマップを用いる。そして、電源回路の温度値と温度上昇値とから前記マップを検索し、検索して得られた許容電流値を充電電流が上回ることのないように電源回路を制御して電池を充電する。ここで、上記のマップは電源回路の温度値と温度上昇値とに基づきマッピングされているため、電源回路の温度状態にきめ細かく対応した許容電流値が検索され、これに応じて充電電流の電流値が変更される。したがって、電源回路の温度上昇を抑制しつつ効率的に電池を充電することができる。
【０００６】
また、本願発明に係る第２の充電装置は、電池に充電電流を供給する電源回路と、電源回路の温度を検出する回路温度検出部と、電池の温度を検出する電池温度検出部と、電池温度検出部で検出された温度から決まる第１許容電流値と回路温度検出部で検出された温度から決まる第２許容電流値のうち小さい方の許容電流値を充電電流が上回らないように電源回路を制御する充電制御部とを有する。
この充電装置では、電池温度から決定される第１許容電流値（すなわち、電池の温度上昇を抑えながら充電し得る電流値）と電源回路温度から決定される第２許容電流値（すなわち、電源回路の温度上昇を抑えながら充電し得る電流値）のうち小さい方の許容電流値を充電電流が上回らないよう電源回路が制御される。このため、電源回路の温度上昇のみならず電池の温度上昇まで抑えることができる。また、充電電流の電流値は、電池の温度又は電源回路の温度に応じて変更されるため、効率的に電池を充電することができる。
【０００７】
上記第２の充電装置において、充電制御部は、電池の温度上昇を抑えながら充電し得る許容電流値を該電池の温度値と温度上昇値とに基づきマッピングした第１のマップを記憶すると共に、電源回路の温度上昇を抑えながら充電し得る許容電流値を該電源回路の温度値と温度上昇値とに基づきマッピングした第２のマップを記憶する記憶手段と、電池温度検出部で検出された温度から得られる電池の温度値及び温度上昇値から第１のマップを検索して第１許容電流値を求めると共に、回路温度検出部で検出された温度から得られる電源回路の温度値と温度上昇値とから第２のマップを検索して第２許容電流値を求める許容電流値検索手段と、を有することが好ましい。
このような構成によると、決定される第１及び第２許容電流値は、電源回路と電池それぞれについての温度と温度上昇値とに基づきマッピングしたマップから検索されるので、電源回路と電池の温度状態に応じた好ましいものとなる。
【０００８】
さらに、上記第２の充電装置においては、第１のマップは温度値が高い時に許容電流値を小さく、温度上昇値が大きいときに許容電流値を小さく設定された充電末期を示す領域を有しており、充電制御部は、さらに、電池温度検出部で検出された温度から得られる電池の温度値と温度上昇値とが第１のマップ中の充電末期を示す領域に属する頻度が高いか否かに基づき充電完了を判断する充電完了判断手段と、充電完了判断手段による充電完了の判断に基づき充電を停止する充電完了手段と、を有することが好ましい。
このような構成によると、充電電流値を小さくしてもなお電池温度や温度上昇値が高い場合や、電池温度が低くても温度上昇値が高く維持される場合には、充電が完了したと判断されて充電が停止される。このため、電池残量や充電開始時の温度等に影響されず、過充電することなく満充電を行うことが可能となる。
【０００９】
また、本願発明は、電源回路の温度上昇を抑えながら電池を効率的に充電する充電方法を提供する。すなわち、本願に係る充電方法は、電源回路と電池とを接続し、電源回路から供給される充電電流によって電池を充電する充電方法であって、電池の温度を検出する電池温度検出工程と、電源回路の温度を検出する回路温度検出工程と、電池温度検出工程で検出された温度から決まる第１許容電流値と回路温度検出工程で検出された温度から決まる第２許容電流値のうち小さい方の許容電流値を充電電流が上回らないように電源回路を制御する工程と、を有する。
この方法によっても、電源回路の温度上昇及び電池の温度上昇を抑えつつ、効率的に電池を充電することができる。
【００１０】
【発明の実施の形態】以下、本発明の一実施形態に係る充電装置及び充電方法について図面を参照して説明する。なお、この充電装置は、インパクトレンチ等の電動工具に用いられる電池パックを充電するものである。
図１は、充電装置１０の充電回路と電池パック５０を併せて示すブロック図である。図１から明らかなように、充電装置１０に電池パック５０がセットされると、充電装置１０側の接続端子Ｃ１〜Ｃ４と電池パック５０側の接続端子Ｃ１’〜Ｃ４’とが接触して電気的に接続されるようになっている。電池パック５０は二次電池であるニッケル水素電池５５と、電池温度を検出するための温度センサ（サーミスタ）ＴＭ１とをケース（筐体）に収納したものであり、ケース表面部にそれぞれの接続端子Ｃ１’〜Ｃ４’が設けられている。
【００１１】
充電装置１０の充電回路は、大別すると、充電電流を供給する電源回路３２と、電源回路３２を制御するための充電電流制御部３４および制御部３６と、電源回路の温度を検出する回路温度検出部３８と、後述する電流値制御用のマップを記憶する記憶部３９と、電池温度を検出するバッテリ（電池）温度検出部４０とから構成される。なお、本実施形態において制御部３６と記憶部３９は、ＣＰＵ，ＲＯＭ，ＲＡＭを備えたマイクロコンピュータで構成される。また、充電電流制御部３４および制御部３６が請求項でいう充電制御部を構成し、制御部３６は許容電流値検索手段、充電完了判断手段、充電完了手段を構成している。
【００１２】
電源回路３２は、外部の商用電源に接続されて電池パック５０の電池５５に対し充電電流を供給するものであり、整流回路、スイッチングトランス、ＦＥＴ、ダイオード等を含んで構成される。電源回路３２には充電電流制御部３４が接続される。充電電流制御部３４は、制御部３６からの信号に基づき電源回路３２を制御し、電池５５へ供給する充電電流を調整するようになっている。
電源回路３２の適宜な位置（本例では、トランス２次側のダイオードの表面）には温度センサ（サーミスタ）ＴＭ２が取付けられ、温度センサＴＭ２を介して回路温度検出部３８が電源回路３２の温度を検出する。回路温度検出部３８は、検出した回路温度値を微分して温度上昇値を算出し、求めた温度上昇値と回路温度値とを制御部３６へ出力する。
他方、前述の温度センサＴＭ１は接続端子Ｃ３−Ｃ３’、Ｃ４−Ｃ４’を経由してバッテリ温度検出部４０に接続され、バッテリ温度検出部４０にて電池温度が検出できるようになっている。バッテリ温度検出部４０は、検出した電池温度値を微分して温度上昇値を算出し、求めた温度上昇値と電池温度値とを制御部３６へ出力する。
なお、各温度上昇値の算出は制御部３６で一括して行ってもよい。また、電源回路３２の回路温度の検出は、電源回路３２の他の部位の温度（例えば、（I）１次側のＦＥＴの温度（II）スイッチングトランスの温度（III）１次側／２次側の放熱器の温度（IV）モールド樹脂（例えば、ウレタン）の温度（V）充電器内部の雰囲気温度）を温度センサにより検出するようにしてもよい。
【００１３】
また、制御部３６には、電流値制御用の許容電流値のマップ（次述する）を記憶する記憶部３９が接続されている。すなわち、制御部３６は、バッテリ温度検出部４０を介して得た現在の電池温度と温度上昇値とに基づきマップを検索することによって、電池の温度上昇を抑えながら充電し得る第１許容電流値を読み込み、また、回路温度検出部３８を介して得た現在の回路温度と温度上昇値とに基づきマップを検索することによって、電源回路の温度上昇を抑えながら充電し得る第２許容電流値を読み込む。そして、第１および第２許容電流値のうちで大きくない方を選択し、選択された許容電流値に応じて充電電流を規制するように充電電流制御部３４に信号を出力する。
【００１４】
ここで、電池は、充電電流を大きくすれば充電時間は短くなるが温度上昇は大きくなる。反体に、充電電流を小さくすれば充電時間が長くなるものの温度上昇は小さくなる。特に、ニッケル水素電池は、充電電流や既に充電された容量によって温度勾配（温度上昇値）が大きく変化する特性を有する。このため、本実施形態では、温度上昇を抑制しながら短時間に充電を完了するために電流値を変化させながら充電を行う。
一方、電源回路については、充電電流が大きくなれば温度上昇は大きくなる。電源容量を大きくすれば温度上昇は緩和されるが大型化しコストアップになる。また、電源回路の温度が高くなると、回路の故障をさけるために電流供給量（充電電流）をしぼる場合がある。
そこで、本実施形態では、電池温度と回路温度のそれぞれについて、温度が高いときには相対的に小さな充電電流を流し、反対に、温度が低いときには相対的に大きな充電電流を流す。また、温度上昇が大きいときには相対的に小さな充電電流を流し、反対に、温度上昇が少ないときには相対的に大きな充電電流を流すようにする。具体的には、電池と電源回路のそれぞれについてのマップから第１および第２許容電流値を検索し、両者を比較して大きくない方を許容電流値としている。
【００１５】
次に、上述した電流制御に用いるマップの構成について、図２及び図３を参照して説明する。
図２に示す第１のマップは、上記充電電流の可変制御を行うためのもので、横側に電池温度Ｔａを取り縦側に温度変化分ｄＴａ／ｄｔを取って、電池の温度上昇を抑制しつつ流し得る第１許容電流値を規定している。具体的には、電池温度が高く且つ温度上昇が大きいときには相対的に小さな電流値が設定され（マップ右下側）、電池温度が高く且つ温度上昇が小さいときには中程度の電流値が設定されている（マップ右上側）。また、電池温度が低く且つ温度上昇が大きいときには中程度の電流値が設定され（マップ左下側）、電池温度が低く且つ温度上昇が小さいときには相対的に大きな電流値が設定されている（マップ左上側）。すなわち、電池温度Ｔａが許容温度を超えない範囲内で、できるだけ大きな電流値がマップ内の各領域に設定されている。
なお、低温（例えば、０°Ｃ以下）において大電流放電を行うと、電池の性能が劣化するため、該マップの左列に性能劣化させないための小さな電流値を設定しておくことが好適である。
【００１６】
図３に示す第２のマップも、第１のマップと同様に充電電流の可変制御を行うためのもので、横側に回路温度Ｔｂを取り縦側に温度変化分ｄＴｂ／ｄｔを取って、電源回路の温度上昇を抑制しつつ流し得る第２許容電流値を規定している。具体的には、回路温度が高く且つ温度上昇が大きいときには相対的に小さな電流値が設定され（マップ右下側）、回路温度が高く且つ温度上昇が小さいときには中程度の電流値が設定される（マップ右上側）。また、回路温度が低く且つ温度上昇が大きいときには中程度の電流値が設定され（マップ左下側）、回路温度が低く且つ温度上昇が小さいときには相対的に大きな電流値が設定されている（マップ左上側）。すなわち、回路温度が許容温度を超えない範囲内で、できるだけ大きな電流値がマップ内の各領域に設定されている。
【００１７】
制御部３６は、充電時には、上記のように許容電流値がマッピングされた第１および第２のマップから、電池温度Ｔａを規制できる第１許容電流値と回路温度Ｔｂを規制できる第２許容電流値を検索し、さらに両者を比較して大きくない方の電流値を選択する。例えば、電池温度がＴａ３〜Ｔａ４にあり、電池温度の変化分（温度上昇値）がＸａ１〜Ｘａ２にある場合には、領域Ｉａ24の電流値が第１許容電流値となる。また、回路温度がＴｂ３〜Ｔｂ４にあり、回路温度の変化分（温度上昇値）がＸｂ１〜Ｘｂ２にある場合には、領域Ｉｂ24の電流値が第２許容電流値となる。そして、両者を比較して大きくない方の電流値が充電電流制御部３４に出力される。
【００１８】
さらに、制御部３６は、第１のマップ内で選択される領域（許容電流値）の動きに基づき充電の完了を検出する。すなわち、本実施形態では、充電電流を時間の経過に応じて変化させるため、単に電池温度や、電池温度の変化値、或は、電池電圧、電池電圧の変化値を監視するだけでは充電の完了を検出することができない。このため、第１のマップ内で選択される領域の動きに基づいて充電の完了を検出する。
【００１９】
ここで、上記第１のマップを用いて充電を行う場合において満充電になる以前は、電池の温度及び温度上昇値の変化に基づき、第１許容電流値として選択される領域はランダムに変化する。すなわち、電池の温度が高く、或は、電池の温度上昇が大きくなって、充電電流の相対的に小さな領域が選択されると（すなわち、図２に示す第１のマップの下側及び／又は右側の領域が選択された後は）、電池の温度、或は、電池の温度上昇が小さくなるため、第１のマップの上側の領域が選択されるようになる。
【００２０】
しかしながら、満充電に近づくと、ニッケル水素電池５５の特性から、温度上昇値が大きいままとなる。すなわち、第１のマップ内の図示下側の領域が選択されて相対的に小さな充電電流で充電されていても、温度上昇が大きいままとなるため再び第１のマップ内の図示下側の領域が選択されることとなる。
そこで、制御部３６は、所定周期（例えば、数１００秒毎）で測定を行い、継続して（例えば３回）、図２中でハッチングで示す領域（すなわち、温度上昇が大きいときに選択される領域Ｉａ31、Ｉａ32、Ｉａ33、Ｉａ34、Ｉａ35及び温度が高く温度上昇が中程度のときに選択される領域Ｉａ25）に属する場合は、充電が完了したと判断して（充電完了判断手段）、充電を停止する（充電停止手段）。
【００２１】
上述したように構成される充電装置による具体的な処理について、図４のフローチャートを参照して説明する。
充電回路の制御部３６は、充電を開始すると所定のサイクルで、充電電流の調整及び充電の完了判断を行う。先ず、ニッケル水素電池５５の温度Ｔａを検出する（Ｓ１２）。次いで、検出された温度Ｔａを微分し、電池の温度変化分ｄＴａ／ｄｔを算出する（Ｓ１４）。そして、温度Ｔａと温度変化分ｄＴａ／ｄｔとに基づき上述した第１のマップから第１許容充電値Ｉａを検索して読み出す（Ｓ１６）。
【００２２】
つぎに、電源回路の温度Ｔｂを検出し（Ｓ１８）、ステップＳ１８で検出された温度Ｔｂを微分して電池の温度変化分ｄＴｂ／ｄｔを算出する（Ｓ２０）。そして、温度Ｔｂと温度変化分ｄＴｂ／ｄｔとに基づき上述した第２のマップから第２許容充電値Ｉｂを読み出す（Ｓ２２）。
つぎに、第１許容充電値Ｉａと第２許容充電値Ｉｂを比較し（Ｓ２４）、Ｉａ＜Ｉｂであれば第１許容充電値Ｉａを最適充電電流値として選択して、選択に応じた電流指令を充電電流制御部３４へ出力する（Ｓ２６）。他方、ステップＳ２４の比較においてＩａ＞Ｉｂが成立しなければ、第２許容充電値Ｉｂを最適充電電流値として選択して、選択に応じた電流指令を充電電流制御部３４へ出力する（Ｓ２８）。これによって、充電電流制御部３４は、制御部３６から指示された最適電流値（第１許容充電値Ｉａと第２許容充電値Ｉｂの小さい方）を超えないよう電源回路３２を制御する。
【００２３】
次いで、制御部３６は、充電末期領域、即ち、図２に示す第１のマップ中でハッチングで示す領域Ｉａ31，Ｉａ32，Ｉａ33，Ｉａ34，Ｉａ35，Ｉａ25内の電流値が選択されたか否かを判断する（Ｓ３０）。充電末期領域の電流値が選択されていない場合は（ステップＳ３０でＮｏ）、ステップ１２に戻って、所定のサイクルで上述したステップＳ１２からの処理を繰り返す。
一方、充電末期領域の電流値が選択されている場合は（ステップＳ３０でＹｅｓ）、次のステップＳ３２に進んで充電末期領域が選択される頻度（確率）が高いか否かを判断する。例えば、連続して３サイクル、上述した充電末期領域が選択されていると、充電末期領域が選択される確率が高いと判断する。
充電末期領域が選択される確率が低いと判断されると（ステップＳ３２でＬＯＷ）、ステップＳ１２に戻って充電が継続される。一方、充電末期領域が選択される確率が高いと判断されると（ステップＳ３２でＨＩＧＨ）、充電を完了し（Ｓ３４）、全ての処理を終了する。
【００２４】
なお、上述した例では、説明の便宜上３回連続して充電末期領域が選択されたときに確率が高いと判断したが、これ以外にも、種々の方法で充電末期領域が選択される確率が高いと判断することができる。例えば、１０サイクル中８回充電末期領域が選択されたときに確率が高いと判断することもできる。なお、この際には、上述した例と比較してサイクルタイムを短くしておくことが好ましい。
【００２５】
つぎに、上述した充電装置により充電を行ったときに測定されたデータの一例を説明する。図５は、本実施形態の充電装置で６本の電池パック５０を３０分程度の急速充電によって連続的に充電したときの電源回路３２の（素子の）温度推移を示す図であり、図６は、そのときの充電時間を説明する図である。両図には、第１および第２許容電流値Ｉａ，Ｉｂを用いて充電電流の制御した場合のほかに、該制御をしない場合と、電流値を一定にして上限温度のみ監視する従来技術とを併せて示している。
両図において、非制御の場合（Ｄ１、Ｅ１）は、充電時間は一定であるが、充電本数の増加に伴って素子温度の過熱が避けられない。したがって、充電装置の小型化が困難となる。従来技術（Ｄ２、Ｅ２）では、所定の温度で保護回路が働き、それ以降の素子温度の上昇は避けられているが、その分、充電に時間を要してしまうことになる。これに対し本実施形態（Ｄ３、Ｅ３）は、素子温度の上昇が非制御の場合Ｄ１と比べると緩やかであり、かつ、充電時間についても従来技術Ｅ２より遥かに短くて済む。したがって、充電装置の小型化と充電時間の短縮の両者をバランス良く実現している。
【００２６】
上述したことから明らかなように、本実施形態の充電装置では、比較的小さな電源回路で大きな出力（充電電流）を出し、素子が熱くなると相応に出力を絞ることによって充電効率を上げることができる。すなわち、電源回路を小型化しても、電源回路から効率的に充電電流を出力することで、短時間での急速充電を可能としている。
【００２７】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
例えば、上述した実施形態では、ニッケル水素電池を充電する際の処理を例に挙げて説明したが、本発明の充電装置及び充電方法は、その他の二次電池を充電する際にも適用できる。たとえば、図２に示す第１のマップをニッケルカドミウム電池の特性に合わせて調整することで、該ニッケルカドミウム電池の充電に適用することができる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数の目的を同時に達成するものであり、そのうちの一つの目的を達成すること自体で技術的有用性を持つものである。
【図面の簡単な説明】
【図１】本発明の一実施形態に係る充電装置の充電回路と電池パックを示すブロック図である。
【図２】充電回路に記憶されている第１のマップの内容を示す説明図である。
【図３】充電回路に記憶されている第２のマップの内容を示す説明図である。
【図４】充電回路による処理を示すフローチャートである。
【図５】電池パックを充電したときの電源回路の温度推移を示す図である。
【図６】電池パックを充電したときの充電時間を説明する図である。
【符号の説明】
１０  充電装置
３２  電源回路
３４  充電電流制御部
３６  制御部
３８  回路温度検出部
３９  記憶部
４０  バッテリ温度検出部（電池温度検出部）
５０  電池パック
５５   ニッケル水素電池
【図１】
2004208349.tif 000003
【図２】
2004208349.tif 000004
【図３】
2004208349.tif 000005
【図４】
2004208349.tif 000006
【図５】
2004208349.tif 000007
【図６】
2004208349.tif 000008